(57)【特許請求の範囲】
【請求項１】
本容器に詰め替えるための内容物を収容する容器本体と、該容器本体の口部に装着されていると共に該口部を閉塞する中栓と、が備えられ、
該中栓を前記本容器の注出キャップに嵌め込んで詰め替えを行う詰め替え容器において、
前記中栓には、前記注出キャップに立設されたノズルの内側に挿入可能な挿入筒部と、該挿入筒部の内側に形成された注出口を閉塞すると共に前記ノズルの内側に配設された刃によって押圧されることで開封されるシール部と、が備えられ、
前記中栓に、前記容器本体の口部の内側に嵌合された外筒部が備えられ、
該外筒部の内側に前記挿入筒部が配設され、
該挿入筒部の外周面と前記外筒部の内周面との間に、前記ノズルが差し込み可能な隙間が形成されていることを特徴とする詰め替え容器。
【請求項２】
請求項１に記載の詰め替え容器において、
前記挿入筒部における前記容器本体の外方側の先端部は、前記外筒体における前記容器本体の外方側の先端よりも前記容器本体の外方側に突出していることを特徴とする詰め替え容器。
【請求項３】
請求項１または２に記載の詰め替え容器において、
前記容器本体の口部の外周面には、前記刃が前記シール部を開封する位置まで前記挿入筒部が前記ノズルの内側に挿入された状態において前記注出キャップに係止するフランジ部が突設されていることを特徴とする詰め替え容器。
【発明の詳細な説明】
【技術分野】
【０００１】
本発明は、詰め替え容器に関する。
【背景技術】
【０００２】
この種の詰め替え容器として、従来、例えば下記特許文献１に記載されているような、本容器に詰め替えるための内容物を収容する容器本体と、その容器本体の口部に装着されていると共にその口部を閉塞する中栓と、が備えられ、その中栓を本容器の口部に螺着させて本容器に内容物を詰め替える詰め替え容器が知られている。上記した中栓には、内容物を注出するための注出口が形成されていると共に、この注出口を閉塞するシール部が設けられている。シール部は、例えばプルトップが付設された蓋体からなる。
【０００３】
上記した構成の詰め替え容器では、例えば、まずプルトップを引き上げて、中栓の注出口を開封する。続いて、詰め替え容器を正立姿勢（口部が上向きの姿勢）に配置し、その詰め替え容器の中栓に倒立姿勢（口部が下向きの姿勢）の本容器の口部を螺着する。その後、詰め替え容器と本容器とを反転させて、本容器を正立姿勢にすると共に詰め替え容器を倒立姿勢にする。これにより、詰め替え容器内の内容物が、詰め替え容器及び本容器の各口部の内側を流通して本容器内に詰め替えられる。
【先行技術文献】
【特許文献】
【０００４】
【特許文献１】特開２０００−１５９２４９号公報
【発明の概要】
【発明が解決しようとする課題】
【０００５】
しかしながら、上記した従来の詰め替え容器では、中栓の注出口を開封した後、中栓に本容器の口部を螺着し、その後、詰め替え容器と本容器を上下反転させる必要があるので、詰め替え作業が煩雑である。
また、中栓の注出口を開封した後に本容器の口部を詰め替え容器の中栓に螺着するため、開封作業時や螺合作業時に誤って詰め替え容器を倒すと、詰め替え容器内の内容物がこぼれ出るおそれがある。
また、中栓に本容器の口部を螺着する際に本容器を倒立姿勢にするため、本容器の内側に内容物が残留していると本容器内の内容物がこぼれ出る。したがって、本容器内の内容物を使い切った後でないと詰め替え作業を行うことができないという問題がある。
【０００６】
また、仮に、本容器の口部にノズルが立設されている場合、口部同士が螺着された詰め替え容器と本容器を上下反転させ、詰め替え容器内の内容物を本容器内に詰め替えるときに、中栓の注出口から注出された内容物がノズルに衝突して乱流したり本容器の口部の内側に溜まったりして内容物が本容器内に流れ込みにくくなり、その結果、内容物の詰め替えに時間がかかる場合がある。
【０００７】
本発明は、上記した従来の問題が考慮されたものであり、詰め替え作業を容易化することができ、且つ、詰め替え作業中に内容物をこぼしにくく、また、本容器内の内容物が残留している場合であっても詰め替え可能であり、さらに、口部にノズルが立設されている本容器に対して短時間に内容物を詰め替えることができる詰め替え容器を提供することを目的としている。
【課題を解決するための手段】
【０００８】
本発明に係る詰め替え容器は、本容器に詰め替えるための内容物を収容する容器本体と、該容器本体の口部に装着されていると共に該口部を閉塞する中栓と、が備えられ、該中栓を前記本容器の注出キャップに嵌め込んで詰め替えを行う詰め替え容器において、前記中栓には、前記注出キャップに立設されたノズルの内側に挿入可能な挿入筒部と、該挿入筒部の内側に形成された注出口を閉塞すると共に前記ノズルの内側に配設された刃によって押圧されることで開封されるシール部と、が備えられ、前記中栓に、前記容器本体の口部の内側に嵌合された外筒部が備えられ、該外筒部の内側に前記挿入筒部が配設され、該挿入筒部の外周面と前記外筒部の内周面との間に、前記ノズルが差し込み可能な隙間が形成されていることを特徴としている。
【０００９】
このような特徴により、詰め替え容器の容器本体内に収容された内容物を本容器に詰め替える際には、まず、詰め替え容器と本容器の口部同士を突き合わせるようにして、詰め替え容器の中栓の挿入筒部を本容器の注出キャップのノズルの内側に挿入させ、注出キャップに中栓を嵌め込む。続いて、詰め替え容器を本容器側に相対的に押し込むことで、ノズルの内側に配設された刃によってシール部が開封されて中栓の注出口が開口される。詰め替え容器の容器本体内の内容物が挿入筒部を通って注出口からノズルの内側に注出され、ノズル内を通って本容器内に詰め替えられる。
【００１０】
また、中栓を本容器の注出キャップに嵌め込んだときに、挿入筒部の外周面と外筒部の内周面との間にノズルが差し込まれるので、ノズルが容器本体の肩部などに干渉することがない。したがって、仮にノズルの先端から刃までの距離が容器本体の口部高さよりも長い場合であっても、中栓の外筒部及び挿入筒部を容器本体の内方側（口部の開口端の反対側）に長くすることで対応可能である。
また、本発明に係る詰め替え容器は、前記挿入筒部における前記容器本体の外方側の先端部は、前記外筒体における前記容器本体の外方側の先端よりも前記容器本体の外方側に突出していることが好ましい。
【００１１】
また、本発明に係る詰め替え容器は、前記容器本体の口部の外周面に、前記刃が前記シール部を開封する位置まで前記挿入筒部が前記ノズルの内側に挿入された状態において前記注出キャップに係止するフランジ部が突設されていることが好ましい。
これにより、容器本体内の内容物を本容器内に詰め替えるとき、フランジ部を介して詰め替え容器が本容器の注出キャップに支持されるので、詰め替え作業中の詰め替え容器の安定感が増す。また、フランジ部によって内容物の詰め替え時における内容物の飛散が防止される。
【発明の効果】
【００１２】
本発明に係る詰め替え容器によれば、本容器の注出キャップに詰め替え容器の中栓を嵌め込んで押し込むだけで、詰め替え容器内の内容物が本容器内に詰め替えられるので、詰め替え作業を容易に行うことができる。
また、詰め替え容器の中栓が本容器の注出キャップに嵌め込まれ、中栓の挿入筒部が注出キャップのノズルの内側に挿入された状態で挿入筒部内のシール部が開封されて注出口が開口されるので、詰め替え作業時に内容物をこぼしにくい。
また、詰め替え作業時に本容器を倒立姿勢にする必要がないので、本容器内の内容物が残留している場合であっても詰め替えを行うことができる。
さらに、注出キャップのノズルの内側に中栓の挿入筒部が挿入され、その挿入筒部の内側に形成された注出口から詰め替え容器内の内容物が注出されて本容器内に詰め替えられるので、中栓の注出口から注出された内容物が本容器内に流れ込みやすく、ノズルを有する本容器に対して短時間で内容物を詰め替えることができる。
【図面の簡単な説明】
【００１３】
【図１】本発明の実施の形態を説明するための詰め替え容器の破断図である。
【図２】本発明の実施の形態を説明するための詰め替え容器と本容器の縦断面図である。
【図３】本発明の実施の形態を説明するための詰め替え容器と本容器の縦断面図である。
【図４】本発明の変形例を説明するための詰め替え容器の縦断面図である。
【発明を実施するための形態】
【００１４】
以下、本発明に係る詰め替え容器の実施の形態について、図面に基いて説明する。
なお、本実施の形態では、容器本体２の口部２０側（図１における上側）を上方とし、その反対側（図１における下側）を下方とする。また、図１に示す符号Ｏは、詰め替え容器１の中心軸線を示しており、以下、この中心軸線を単に「軸線Ｏ」と記す。また、軸線Ｏに沿った方向を「軸方向」とし、軸線Ｏに直交する方向を「径方向」とし、軸線Ｏ回りの方向を「周方向」とする。
【００１５】
まず、図１に示す詰め替え容器１の構成について説明する。
図１に示す詰め替え容器１は、図２に示す本容器５に詰め替えるための内容物を収容する容器であり、図２、図３に示すように詰め替え容器１と本容器５との口部２０、６０同士を突き合わせるようにして後述する中栓３を本容器５の注出キャップ７に嵌め込んで内容物の詰め替えを行うものである。上記した内容物は、例えば柔軟剤や液体洗剤等の液体状の内容物である。
この詰め替え容器１の概略構成としては、図１に示すように、内容物を収容する容器本体２と、容器本体２の口部２０に装着された中栓３と、が備えられている。
【００１６】
容器本体２は、有底筒状のボトル容器であり、例えばポリエチレンテレフタレート（ＰＥＴ）等の合成樹脂からなる。詳しく説明すると、容器本体２は、軸線Ｏに沿って延びる筒状の胴部２１と、その胴部２１の下端に連設された底部２２と、胴部２１の上端に連設されていると共に上方に向かって漸次縮径された肩部２３と、肩部２３の上端に軸方向に沿って立設された略円筒形状の口部２０と、を備えている。上記した胴部２１は薄肉で変形容易な筒部である。
【００１７】
中栓３は、図１に示すように、上記した容器本体２の口部２０の内側に嵌合されて当該口部２０を閉塞する栓体であり、例えばポリエチレン（ＰＥ）やポリプロピレン（ＰＰ）等の合成樹脂からなる。詳しく説明すると、中栓３は、容器本体２の口部２０の内側に嵌合された外筒部３０と、その外筒部３０の内側に配設された挿入筒部３１と、を備えた二重筒となっている。
【００１８】
外筒部３０は、軸方向に延在する円筒形状の筒部であり、容器本体２の口部２０の内側に圧入されている。この外筒部３０の上端部には、径方向外側に向かって突出したフランジ部３２が全周に亘って設けられており、このフランジ部３２は、容器本体２の口部２０の上端面に係止されている。
【００１９】
挿入筒部３１は、図２に示すように後述する本容器５のノズル７４の内側に挿入可能な円筒形状の筒部であり、軸線Ｏを共通軸にして外筒部３０と同軸上に配設されている。挿入筒部３１の外径は外筒部３０の内径よりも小さく、挿入筒部３１の外周面と外筒部３０の内周面との間には、図２に示すように後述する本容器５のノズル７４が差し込み可能な隙間が形成されている。また、図１に示すように、挿入筒部３１の下端部には径方向外側に突出した連結部３８が全周に亘って形成されており、この連結部３８を介して挿入筒部３１の下端と外筒部３０の下端とが連結されている。また、挿入筒部３１は外筒部３０よりも軸方向に長く、挿入筒部３１の上端部は外筒部３０の上端よりも上方に突出されている。そして、挿入筒部３１の上端には例えばアルミフィルムなどからなるシール３７が剥離可能に接着されており、このシール３７によって挿入筒部３１の上端が密封されている。
【００２０】
また、挿入筒部３１の内側には、容器本体２内の内容物を注出するための注出口３３が形成されている。注出口３３は、挿入筒部３１の内側に配設された隔壁３５に形成された開口であり、挿入筒部３１の上端面よりも下方の位置に配設されている。そして、この注出口３３の内側には、注出口３３を閉塞するシール部３４が配設されている。このシール部３４は、後述する本容器５の刃８によって押圧されることで開封される蓋体であり、隔壁３５に対して略面一に配置された平板状の板部からなる。このシール部３４の外縁は、破断可能な弱化部３６を介して注出口３３の内縁に全周に亘って連結されている。
なお、上記したシール部３４の上面から上記した連結部３８の上面までの軸方向の距離Ｈ１が、少なくとも後述する本容器５のノズル７４先端から刃８の先端までの軸方向の距離Ｈ２（図２に示す）よりも長くなっている。
【００２１】
また、上記した容器本体２の口部２０の外周面には、径方向外側に向けて突出したフランジ部２４が全周に亘って設けられている。このフランジ部２４は、図３に示すように後述する本容器５の刃８がシール部３４を開封する位置まで挿入筒部３１が本容器５のノズル７４の内側に挿入された状態において本容器５の注出キャップ７に係止する係止部であり、口部２０の軸方向の中間部に配設されている。また、このフランジ部２４には、内容物の詰め替え時に本容器５内の空気を抜くための空気通路２５が形成されている。この空気通路２５は、フランジ部２４の口部２０先端側の面（図１における上面）に形成された凹溝であり、フランジ部２４の内縁から外縁にかけて径方向に延在している。また、この空気通路２５は、周方向に間欠的に複数形成されている。
【００２２】
次に、上記した詰め替え容器１によって内容物が詰め替えられる本容器５の構成について説明する。
本容器５は、液体状の内容物を収容すると共にその内容物を注出する注出容器であり、その概略構成としては、図２、図３に示すように、内容物を収容する容器本体６と、容器本体６の口部６０に装着された注出キャップ７と、注出キャップ７に脱着可能に被着される図示せぬオーバーキャップと、を備えている。
【００２３】
注出キャップ７は、容器本体６内の内容物を注出するためのノズル７４を有するキャップ体であり、容器本体６の口部６０の外側に嵌着されている。詳しく説明すると、注出キャップ７の概略構成としては、平面視円環状の天壁部７０と、天壁部７０の外縁から垂下された外筒部７１と、外筒部７１の内側に配設された有底の内筒部７２と、内筒部７２の底部７３から立設されて内筒部７２の内側に配設されたノズル７４と、天壁部７０の内縁から立設された装着筒部７５と、を備えている。
【００２４】
天壁部７０は、容器本体６の口部６０の中心軸線（図２、図３における軸線Ｏ）に対して垂直に配設されていると共に容器本体６の口部６０の上方に配設されている。外筒部７１は、容器本体６の口部６０の外周に周設された円筒形状の筒部であり、口部６０にアンダーカット嵌合されている。内筒部７２は、下方に向かうに従い漸次縮径された有底の筒部であり、容器本体６の口部６０の内側に配設され、上端部が装着筒部７５の下端部の内周面に一体的に連結されている。この内筒部７２の底部７３は、中央部に開口が形成された平面視略円環状の壁部であり、径方向一方側（図２における左側）から径方向他方側（図２における右側）に向けて下向きに傾斜されている。この底部７３のうちの最も低い部分には、内筒部７２内の内容物を容器本体６内に回収するための回収口７６が形成されている。装着筒部７５は、図示せぬオーバーキャップを装着させるための筒部であり、装着筒部７５の外周面には、図示せぬオーバーキャップを螺着させるための雄ねじ７７が形成されている。また、装着筒部７５の内径は、詰め替え容器１の容器本体２の口部２０の外径よりも大きく、装着筒部７５の内側に詰め替え容器１の容器本体２の口部２０が挿入可能である。
【００２５】
ノズル７４は、上記した容器本体６内の内容物を注出するための円筒形状の筒部であり、内筒部７２の底部７３の内縁から軸方向に沿って立設されている。ノズル７４の先端部は、装着筒部７５の上端よりも上方に突出されており、また、径方向一方側（図２における左側）から径方向他方側（図２における右側）に向けて下向きに傾斜されている。また、ノズル７４には、軸方向に沿って延在するスリット７８が全長に亘って形成されている。このスリット７８は、ノズル７４の先端のうちの最も低い位置から上記した回収口７６まで延設されている。
【００２６】
上記したノズル７４の内側には、上記したシール部３４を開封するための刃８が配設されている。この刃８の概略構成としては、ノズル７４の内側に架設されたブリッジ部８０と、ブリッジ部８０の上面から立設された複数（図３では２つ）の突起部８１、８２と、を備えている。ブリッジ部８０は、軸線Ｏに直交する方向に延在する板状部であり、両端がノズル７４の内周面に一体的に連結されている。突起部８１、８２は、上端部が尖状に形成された円筒部である。図３に示すように、複数の突起部８１、８２は、それぞれ高さが異なり、ブリッジ部８０の延在方向に沿って高さ順に並設されている。
【００２７】
次に、上記した構成からなる詰め替え容器１の作用について説明する。
【００２８】
上記した詰め替え容器１の容器本体２内に収容された内容物を本容器５に詰め替える際には、まず、図２に示すように、本容器５の図示せぬオーバーキャップを取り外した後、詰め替え容器１を倒立姿勢にした状態で、詰め替え容器１と本容器５の口部２０、６０同士を突き合わせるようにして、詰め替え容器１の中栓３の挿入筒部３１を本容器５の注出キャップ７のノズル７４の内側に挿入させ、注出キャップ７に中栓３を嵌め込む。このとき、挿入筒部３１の外周面と外筒部３０の内周面との間にノズル７４が差し込まれるので、ノズル７４が詰め替え容器１の容器本体２の肩部２３やフランジ部２４に干渉することがない。また、中栓３の注出口３３はシール部３４によって閉塞されているので、この時点では、詰め替え容器１の容器本体２内の内容物は流出しない。
【００２９】
続いて、図３に示すように、詰め替え容器１を本容器５側に相対的に押し込む。すなわち、詰め替え容器１の容器本体２のフランジ部２４が注出キャップ７の装着筒部７５の上端に当接するところまで、倒立姿勢の詰め替え容器１を本容器５に対して相対的に下方に移動させる。これにより、注出キャップ７の刃８によってシール部３４が押圧されて弱化部３６が破断してシール部３４が開封されて中栓３の注出口３３が開口する。このとき、刃８の複数の突起部８１、８２が高さ順に並設されているので、複数の突起部８１、８２は高い方から順にシール部３４を押圧していき、シール部３４の弱化部３６が片側から徐々に破断されてシール部３４がヒンジ蓋状に開封される。
【００３０】
シール部３４が開封されると、詰め替え容器１の容器本体２内の内容物が挿入筒部３１を通って中栓３の注出口３３から注出キャップ７のノズル７４の内側に流入し、ノズル７４内を通って本容器５の容器本体６の内側に流入し、詰め替え容器１内の内容物が本容器５内に詰め替えられる。このとき、本容器５の容器本体６内の空気が、注出キャップ７の回収口７６やノズル７４のスリット７８を通ってノズル７４の外周面と内筒部７２の内周面との間の空間に流出し、さらに、詰め替え容器１の容器本体２の空気通路２５を通って外部に流出する。つまり、詰め替え容器１から供給される内容物が本容器５の容器本体６内の空気と置換される。なお、上述した詰め替え容器１は、内容物の減少に伴い自然に減少したり、外力によって変形させたりすることが可能な容器を採用することが好ましい。また、積層剥離容器や二重容器のように、内層あるいは内容器のみが減容する容器などを採用することもできる。例えば、容器本体を押圧することで胴部２１を塑性変形するように変形させる。これにより、詰め替え容器１の容器本体２の内容積が強制的に減容され、その容器本体２内の内容物が積極的に押し出され、詰め替え時間が短縮される。
【００３１】
また、上述したように詰め替え容器１内の内容物が本容器５内に詰め替えられている際、上記した詰め替え容器１の容器本体２のフランジ部２４が本容器５の注出キャップ７の装着筒部７５の上端に支持されているので、内容物の詰め替え作業中の詰め替え容器１の姿勢が安定している。
【００３２】
上記した詰め替え容器１によれば、本容器５の注出キャップ７に詰め替え容器１の中栓３を嵌め込んで押し込むだけで、詰め替え容器１内の内容物が本容器５内に詰め替えられるので、詰め替え作業を容易に行うことができる。
【００３３】
また、詰め替え容器１の中栓３が本容器５の注出キャップ７に嵌め込まれ、中栓３の挿入筒部３１が注出キャップ７のノズル７４の内側に挿入された状態で挿入筒部３１内のシール部３４が開封されて注出口３３が開口されるので、中栓３と注出キャップ７の嵌め込み作業時に内容物をこぼすことがなく、また、シール部３４の開封作業時にも内容物をこぼしにくい。
【００３４】
また、詰め替え作業時に本容器５を倒立姿勢にする必要がないので、本容器５内の内容物が残留している場合であっても本容器５内の内容物がこぼれることがない。つまり、本容器５の内容物を使い切る前であっても内容物の詰め替え作業を行うことができる。
【００３５】
また、注出キャップ７のノズル７４の内側に中栓３の挿入筒部３１が挿入され、その挿入筒部３１の内側に形成された注出口３３から詰め替え容器１の容器本体２内の内容物が注出されて本容器５の容器本体６内に詰め替えられるので、内容物の詰め替え時に内容物が本容器５の容器本体６内に流れ込みやすい。つまり、内容物の詰め替え時に、ノズル７４内に配置された注出口３３から内容物が注出され、その内容物がノズル７４内を通って本容器５の容器本体６内に流入するので、中栓３の注出口３３から注出された内容物がノズル７４などに衝突して乱流したり内筒部７２内に溜まったりしにくい。したがって、ノズル７４を有する本容器５に対して短時間で内容物を詰め替えることができる。
【００３６】
また、上記した詰め替え容器１では、詰め替え容器１の中栓３を本容器５の注出キャップ７に嵌め込んだときに、挿入筒部３１の外周面と外筒部３０の内周面との間にノズル７４が差し込まれるので、仮にノズル７４の先端から刃８の先端までの距離が詰め替え容器１の容器本体２の口部２０の高さよりも長い場合であっても、中栓３の外筒部３０及び挿入筒部３１を詰め替え容器１の容器本体２の内方側（図２における上側）に長くすることで対応可能である。したがって、詰め替え容器１の容器本体２の口部２０の高さやその口部２０の先端からの挿入筒部３１の突出長さを低く抑えることができる。その結果、詰め替え容器１の高さ寸法を小型化することができ、販売陳列時や保管時、搬送時における省スペース化を図ることができる。また、詰め替え容器１の容器本体２の口部２０の高さを変更せずに中栓３の外筒部３０及び挿入筒部３１の長さを変更することで、注出キャップ７のノズル７４の長さの異なる多様な本容器５に対して適用可能であるので、詰め替え容器１において共通の容器本体２を使用することができ、コストダウンを図ることが可能である。
【００３７】
また、上記した詰め替え容器１では、詰め替え作業中に、詰め替え容器１の容器本体２のフランジ部２４が本容器５の注出キャップ７の装着筒部７５の上端に支持され、詰め替え容器１が安定しているので、内容物の詰め替え時に特に内容物をこぼしにくく、詰め替え作業を容易に行うことができる。また、上記したフランジ部２４によって装着筒部７５の上端が閉塞されるので、このフランジ部２４によって内容物の詰め替え時における内容物の飛散を防止することができる。
【００３８】
以上、本発明に係る詰め替え容器の実施の形態について説明したが、本発明は上記した実施の形態に限定されるものではなく、その趣旨を逸脱しない範囲で適宜変更可能である。
例えば、上記した実施の形態では、挿入筒部３１の内側に、弱化部３６を介して注出口３３の内縁に連結された蓋状のシール部３４が配設されているが、本発明におけるシール部は上記したシール部３４に限定されない。例えば、図４に示すように、挿入筒部３１内の注出口３３の内側にアンダーカット嵌合された栓状のシール部１３４であってもよい。さらに、本発明におけるシール部は、注出口３３の内側に張設されていると共に刃８によって破断可能な膜体であってもよい。
【００３９】
また、上記した挿入筒部３１の上端にフィルム状のシール３７が貼着されており、これにより、詰め替え容器１内の内容物の漏出を確実に防止しているが、本発明は、上記したシール３７を省略することも可能である。また、本発明は、上記したシール３７に代えて、或いは、上記したシール３７の上から、詰め替え容器１の容器本体２の口部２０及び中栓３を覆うシュリンクフィルムを設置することも可能である。
【００４０】
また、上記した実施の形態では、挿入筒部３１の軸方向中間部に注出口３３及びシール部３４が配設されているが、本発明は、注出口３３及びシール部３４の位置は適宜変更可能であり、例えば、挿入筒部３１の上端部に注出口３３及びシール部３４が配設されていてもよい。
【００４１】
また、上記した実施の形態では、挿入筒部３１の上端が外筒部３０の上端や詰め替え容器１の容器本体２の口部２０の上端よりも高く挿入筒部３１の上部が突出されているが、本発明は、挿入筒部３１の上端が、外筒部３０の上端や容器本体２の口部２０の上端と同じ高さであってもよく、或いは、外筒部３０の上端や容器本体２の口部２０の上端よりも低くてもよい。
【００４２】
また、本発明に係る詰め替え容器は、容器本体の蛇腹状の胴部を収縮させて内容物を押し出す容器であってもよく、或いは、可撓性を有する袋状のパウチ容器であってもよい。さらに、本発明は、容器本体を減容させずに、本容器内の空気と詰め替え容器内の内容物とを置換することで内容物を詰め替える構成であってもよい。
【００４３】
また、上記した実施の形態では、詰め替え容器１の容器本体２の口部２０にフランジ部２４が設けられ、このフランジ部２４に空気通路２５が形成されているが、本発明は、上記したフランジ部２４に空気通路２５が形成されていなくてもよく、また、上記したフランジ部２４を省略することも可能である。
【００４４】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００４５】
１  詰め替え容器
２  容器本体
３  中栓
５  本容器
７  注出キャップ
８  刃
２０  口部
２４  フランジ部
３０  外筒部
３１  挿入筒部
３３  注出口
３４  シール部
７４  ノズル
【図１】
0005489703.tif 000002
【図２】
0005489703.tif 000003
【図３】
0005489703.tif 000004
【図４】
0005489703.tif 000005